(57)【特許請求の範囲】
【請求項１】
机上で筆記具を仮置きしたり瞬時に取り出したりすることのできる筆記具受け皿であって、左右両端部と、当該左右両端部間に延びる水平基板と、当該水平基板により形成され定規として使用することのできる前縁形状を有して前記左右両端部間に延びる前縁部と、当該前縁部から後方へ間隔を置いて前記水平基板の上面側から一体的に立ち上がり前記左右両端部間に延びる前側仕切り壁と、当該前側仕切り壁から当該前側仕切り壁との間に少なくとも単数本の上記筆記具を左右方向に横倒しした状態で受容することのできる程度の間隔を置いて前記水平基板の上面側から一体的に立ち上がり前記左右両端部間に延びる後側仕切り壁とを有することを特徴とする、筆記具受け皿。
【請求項２】
請求項１に記載の筆記具受け皿において、前記前縁部には適宜間隔置きに目盛りが付されていることを特徴とする、筆記具受け皿。
【請求項３】
請求項１又は２に記載の筆記具受け皿において、前記水平基板の左右両端部には、当該水平基板の前縁からそれぞれ設定された間隔を置いて線引きマーク付与用の微小切り込みが形成されていることを特徴とする、筆記具受け皿。
【請求項４】
請求項１ないし３のいずれか一つに記載された筆記具受け皿において、前記水平基板には、少なくとも一種類の輪郭形状の製図記号付与用抜き穴が形成されていることを特徴とする、筆記具受け皿。
【発明の詳細な説明】
【０００１】
【発明の属する技術分野】
本発明は、机上で筆記具を随時仮置きしたり瞬時に取り出したりすることのできる筆記具受け皿に関する。
【０００２】
【従来の技術】
従来、筆記具は通常長手方向軸線の周りに転がり易く、机上に筆記具を置いた際に、机の上面が傾いていたり、あるいは上面が傾いていなくても不意に机を揺らせてしまったり、机上で扱う書類などを筆記具に当ててしまったりした場合には、筆記具が机上を転がって机から落ちたり、机上の書類等の物陰に隠れてしまったりして机上の置いたはずの位置から無くなってしまい、机上に置いておいたはずの筆記具を再び使おうとしても元の位置にはなく、あちこち探すようなことがしばしばあるものである。
【０００３】
このため、筆記具や消しゴム等の文房具小物を机上の所定の位置に置いておくことができるように文房具等小物入れ皿を机上に置いておき、この文房具等小物入れ皿に筆記具や消しゴム等の文房具小物を置くようにした、文房具等小物入れ皿が知られている。
【０００４】
【発明が解決しようとする課題】
しかしながら、従来の文房具等小物入れ皿は、周縁に沿って一様に立ち上がり縁部を有する底の浅い矩形状の皿体である場合が多く、筆記具や消しゴム等の各種の文房具小物を皿内に受け入れることができる代わりに、種々の長さの筆記具を周縁の立ち上がり縁部内に入れることができるように縦方向の全長が長く、机上に置いた際には机上のスペースを大きく占有してしまったり、また文房具等小物入れ皿を手に持って移動させたい場合には、皿体の縁部を指先で挟んだり摘まんだりして持ち上げなければならず、特に皿内に文房具等小物が入っている場合には指先に過度の重量の負担がかかったり、文房具等小物入れ皿を机上に置いて学習や机上作業をする際に、文房具等小物入れ皿が文房具等小物を入れておくだけのために使用されているため、アンダーラインを引いたり簡単な作図をしようとしても文房具等小物入れ皿を使ってアンダーラインを引いたり作図をしたりするわけにもいかず、定規や線引き具を別途に用意しなければならなかったり、文房具等小物入れ皿内から所望の筆記具を取り出そうとしても、皿内に長短各種の筆記具が混然と入っている場合には、筆記具が互いに平行に入っているとは限らず向きも一様ではないため、瞬時に皿内から所望の筆記具を取り出すことができず、学習や作業の進行に乱れが生じてしまったりするなど、不都合な点が多かった。
【０００５】
そこで、本発明は、種々の長さの筆記具を受け入れることができるにも拘わらず縦方向の全長が筆記具の長さよりも短くても済むようにし、したがって机上に置いても机上のスペースの占有量が極めて少なくて済むようにし、また皿体を手に持って移動させたい場合には、皿体の中央部を指先で挟んだり摘まんだりして簡易に安全に持ち上げて移動することができるようにし、その際に皿体上に筆記具が収納されている場合でも指先に過度の重量の負担がかからなくても済むようにし、机上に置いて学習や机上作業をする際に、アンダーラインを引いたり簡単な作図をするときには定規や線引き具を別途に用意しなくても皿体の縁部を使ってアンダーラインを引いたり作図をしたりすることができるようにし、皿体上から所望の筆記具を取り出す際には、皿体上に長短各種の筆記具が収納されている場合であっても、筆記具が互いに平行に収納されていることにより、瞬時に皿体上から所望の筆記具を取り出すことができるようにし、さらに皿体上に筆記具が収納されている状態にあっても皿体に付された氏名や広告文字等の表記文字の読み取りができるような表面を確保することができるようにした、筆記具受け皿を提供しようとするものである。
【０００６】
【課題を解決するための手段】
上述の課題を解決するため、本発明の筆記具受け皿は、机上で筆記具を仮置きしたり瞬時に取り出したりすることのできる筆記具受け皿であって、左右両端部と、当該左右両端部間に延びる水平基板と、当該水平基板により形成され、定規として使用することのできる前縁形状を有して前記左右両端部間に延びる前縁部と、当該前縁部から後方へ間隔を置いて前記水平基板の上面側から一体的に立ち上がり前記左右両端部間に延びる前側仕切り壁と、当該前側仕切り壁から当該前側仕切り壁との間に少なくとも単数本の上記筆記具を左右方向に横倒しした状態で受容することのできる程度の間隔を置いて前記水平基板の上面側から一体的に立ち上がり前記左右両端部間に延びる後側仕切り壁とを有することを特徴としている。
【０００７】
また、本発明の筆記具受け皿は、上記筆記具受け皿において、前記前縁部には適宜間隔置きに目盛りが付されていることを特徴としている。
【０００８】
さらに、本発明の筆記具受け皿は、上記筆記具受け皿において、前記水平基板の左右両端部には、当該水平基板の前縁からそれぞれ設定された間隔を置いて線引きマーク付与用の微小切り込みが形成されていることを特徴としている。
【０００９】
また、本発明の筆記具受け皿は、上記筆記具受け皿において、前記水平基板には、少なくとも一種類の輪郭形状の製図記号付与用抜き穴が形成されていることを特徴としている。
【００１０】
【発明の実施の形態】
以下、図面により本発明の実施の形態について説明する。図１は本発明の一実施の形態に係る筆記具受け皿の平面図、図２は図１の実施の形態に係る筆記具受け皿の前面図、図３は図１の実施の形態に係る筆記具受け皿の背面図、図４は図１の実施の形態に係る筆記具受け皿の左端側面図である。
【００１１】
図１ないし図４において、筆記具受け皿１は、左端部３と右端部４とよりなる左右両端部３，４と、左右両端部３，４間に延びる水平基板２とを有する。水平基板２には、左右両端部３，４間に延びる前縁部５が形成されている。前縁部５は定規として使用することができるような前縁形状を有している。
【００１２】
前縁部５の前縁形状は直線定規として使用することができるように直線形状とすることができるが、これにこだわらず、任意の形状の雲形定規として使用することができるように所望の雲形形状とすることもできる。前縁部５の前縁に沿った角部は、線引きに用いる筆記具のインクが乱りに紙面に拡散しないように適度に面取りされていると、インク式筆記具を用いて線引きをする場合であっても、安心して線引きをすることができる。
【００１３】
筆記具受け皿１は、前縁部５から後方へ間隔を置いた位置で、水平基板２の上面側から一体的に上向きに立ち上がり、左右両端部３，４間に延びる前側仕切り壁６を有している。前側仕切り壁６は、水平基板２に対して図示のように垂直に上向きに立ち上がっていても良く、また筆記具を置いたり取り出したりし易いようにやや前向きにあるいはやや後ろ向きに傾斜していても良い。前側仕切り壁６は、筆記具受け皿１上に置かれた筆記具の不用意な転がりを防止することができるとともに、前縁部５を使用して線引きをする際の手掛け部として機能することができ、前側仕切り壁６の頂部に手を掛けて筆記具受け皿１を紙面上に押さえ込むことにより、筆記具受け皿１を安定して確実に紙面上に固定しておくことができる。また、筆記具受け皿１を移動する際に前側仕切り壁６を指先で挟んだり摘まんだりして筆記具受け皿１を持ち上げて移動することもできる。
【００１４】
筆記具受け皿１は、前側仕切り壁６から、当該前側仕切り壁６との間に少なくとも１本、例えば２〜３本の筆記具を左右方向に横倒しした状態で水平に並列させて収納することのできる程度の間隔を置いて、水平基板２の上面側から一体的に立ち上がり、左右両端部３，４間に延びる後側仕切り壁７を有している。後側仕切り壁７は、図示のように水平基板２をなめらかな曲面を描いて折り曲げた形状となるようにして水平基板２の後縁部から上向き斜め後方に傾斜して一体的に立ち上がっていても良いが、水平基板２の上面側から垂直に上向きに立ち上がっていても良い。
【００１５】
後側仕切り壁７が水平基板２の上面側から上向き斜め後方に傾斜している場合には、前側仕切り壁６と後側仕切り壁７との間に左右方向に横倒しした状態で収納されている筆記具を取り出す際に、筆記具を後側仕切り壁７の傾斜面に沿って滑らせながら一層容易かつ迅速に取り出すことができる。
【００１６】
また、前側仕切り壁６や後側仕切り壁７は、成形の際に水平基板２と一体的に成形するようにしても良いし、前側仕切り壁６や後側仕切り壁７の下端部を水平基板２上に接着手段により接合することによって全体を一体化するようにしても良い。
【００１７】
さらに、前側仕切り壁６や後側仕切り壁７の左右両端部３，４間の中間部を指先で挟んだり摘まんだりして筆記具受け皿１を確実に持ち上げることができるように左右両端部３，４間の中間部の高さをその両脇の高さよりも格別に高くなるように形成しておくこともできる。
【００１８】
筆記具受け皿１の前縁部５には、適宜間隔置きに目盛り８を付設しておくことができる。前縁部５に目盛り８が付されていると、アンダーラインを引いたり簡単な作図をするときには定規や線引き具を別途に用意しなくても、筆記具受け皿１の前縁部５を使って目盛り８を見ながら、描く線の長さを調節しつつアンダーラインを引いたり作図をしたりすることができる。また目盛り８を使用して紙面上の任意の２点間の間隔のおよその長さを簡便に知ることができる。
【００１９】
さらに、筆記具受け皿１の水平基板２の左右両端部３，４には、水平基板２の前縁からそれぞれ設定された間隔を置いて線引きマーク付与用の単数又は複数個の微小切り込み９を形成しておくことができる。このような微小切り込み９を利用して紙面上に線引きマークを付与し、付与した線引きマークに従って簡便かつ迅速にアンダーラインを引いたり作図をしたりすることができる
【００２０】
また、筆記具受け皿１の水平基板２には、少なくとも一種類の輪郭形状の製図記号付与用抜き穴１０を形成しておくこともできる。水平基板２に製図記号付与用抜き穴１０を形成しておくことにより、抜き穴１０を利用して抜き穴１０の形状の製図記号を簡便かつ迅速に描くことができる。製図記号付与用抜き穴１０としては、例えば図示のように大径、中径、小径の円形の抜き穴、大型、小型の三角形の抜き穴、大形、中型、小型の正方形の抜き穴、半円半矩形の蒲鉾形状の抜き穴、楕円形状の抜き穴等とすることができる外、これらの抜き穴以外の任意の形状の抜き穴とすることができる。
【００２１】
筆記具受け皿１は、例えば透明あるいはさまざまな色彩の半透明色の硬質合成樹脂によって全体を一体的に成形することができる外、軽量金属あるいは軽量合金等によって全体を一体的に成形することもでき、極めて軽量なものとすることができるとともに、使い易い形状及び大きさにして、安価に提供することができる。
【００２２】
図１ないし図４に示した筆記具受け皿は、本発明の好適な実施の形態を例示したものにすぎず、本発明は、特許請求の範囲に記載した事項の範囲内で種々の実施の形態に従って実施をすることができるものである。
【００２３】
【発明の効果】
本発明の筆記具受け皿によれば、以下のような効果が得られる。
（１）机上で筆記具を仮置きしたり瞬時に取り出したりすることのできる筆記具受け皿であって、左右両端部と、当該左右両端部間に延びる水平基板と、当該水平基板により形成され定規として使用することのできる前縁形状を有して前記左右両端部間に延びる前縁部と、当該前縁部から後方へ間隔を置いて前記水平基板の上面側から一体的に立ち上がり前記左右両端部間に延びる前側仕切り壁と、当該前側仕切り壁から当該前側仕切り壁との間に少なくとも単数本の上記筆記具を左右方向に横倒しした状態で受容することのできる程度の間隔を置いて前記水平基板の上面側から一体的に立ち上がり前記左右両端部間に延びる後側仕切り壁とを有しているので、種々の長さの筆記具を受け入れることができるにも拘わらず縦方向の全長が筆記具の長さよりも短くて済むように形成することができ、したがって机上に置いても机上のスペースの占有量が極めて少なくて済み、また皿体を手に持って移動させたい場合には、皿体の中央部を指先で挟んだり摘まんだりして簡易に安全に持ち上げて移動することができ、その際に皿体上に筆記具が収納されている場合でも指先に過度の重量の負担がかからなくて済み、机上に置いて学習や机上作業をする際に、アンダーラインを引いたり簡単な作図をするときには定規や線引き具を別途に用意しなくても皿体の縁部を使ってアンダーラインを引いたり作図をしたりすることができ、皿体上から所望の筆記具を取り出す際には、皿体上に長短各種の筆記具が収納されている場合であっても、筆記具が常に互いに平行に収納されていることにより、瞬時に皿体上から所望の筆記具を取り出すことができ、さらに前側仕切り壁や後側仕切り壁等の外側壁面上に氏名や広告文字等の表記文字を印字しておくことにより、皿体上に筆記具が収納されている状態であっても皿体に付された氏名や広告文字等の表記文字を確実に読み取ることができる（請求項１）。
（２）上記筆記具受け皿において、前記前縁部には適宜間隔置きに目盛りが付されているので、アンダーラインを引いたり簡単な作図をするときには定規や線引き具を別途に用意しなくても、皿体の縁部を使って目盛りを見ながらアンダーラインを引いたり作図をしたりすることができる（請求項２）。
（３）上記筆記具受け皿において、前記水平基板の左右両端部には、当該水平基板の前縁からそれぞれ設定された間隔を置いて線引きマーク付与用の微小切り込みが形成されているので、微小切り込みを利用して線引きマークを付与し、付与した線引きマークに従って簡便かつ迅速にアンダーラインを引いたり作図をしたりすることができる（請求項３）。
（４）上記筆記具受け皿において、前記水平基板には、少なくとも一種類の輪郭形状の製図記号付与用抜き穴が形成されているので、抜き穴を利用して抜き穴の形状の製図記号を簡便かつ迅速に描くことができる（請求項４）。
【図面の簡単な説明】
【図１】本発明の一実施の形態に係る筆記具受け皿の平面図である。
【図２】図１の実施の形態に係る筆記具受け皿の前面図である。
【図３】 図１の実施の形態に係る筆記具受け皿の背面図である。
【図４】 図１の実施の形態に係る筆記具受け皿の左端側面図である。
【符号の説明】
１    筆記具受け皿
２    水平基板
３    左端部
４    右端部
５    前縁部
６    立ち上がり隔壁
７    傾斜立ち上がり後縁壁
８    目盛り
９    微小切り込み
１０  製図記号付与用抜き穴
【図１】
0003810671.tif 000002
【図２】
0003810671.tif 000003
【図３】
0003810671.tif 000004
【図４】
0003810671.tif 000005